(57)【要約】  本発明のズームレンズ鏡筒組立体は、第１突起を備える第１ズームリングと、第１突起が通過する第１案内孔及び第２案内孔を備えて第１ズームリングの外側に配されるガイドリングと、第２突起を備え、光軸方向に移動自在に配される第２ズームリングと、第２突起が挿入される案内溝及び第２案内孔を通過する第３突起を備えて第１ズームリングと第２ズームリングとの間に配される第１円筒と、第４突起を備えてガイドリングの外側に配され、第１突起が結合される第１溝部及び第３突起が結合される第２溝部を備えて第１ズームリング及び第１円筒を保持する第２円筒と、第４突起が挿入される第３溝部を備えて第２円筒の外側に配された外部円筒と、を備える。【選択図】図１
2014505276.tif 000002
【特許請求の範囲】
【請求項１】
第１レンズ群を保持して外側に突出する第１突起を備える第１ズームリングと、
前記第１突起が通過するように光軸方向に沿って延びる第１案内孔及び円周方向に沿って延びる第２案内孔を備えて前記第１ズームリングの外側に配されるガイドリングと、
第２レンズ群を保持し、外側に突出する第２突起を備えて前記第１ズームリングに対して光軸方向に移動自在に配される第２ズームリングと、
前記第２突起が挿入されるように内側壁面に形成された第２ズームリング案内溝及び外側に突出して前記第２案内孔を通過する第３突起を備えて回転しながら光軸方向に沿って移動自在になるように前記第１ズームリングと前記第２ズームリングとの間に配される第１円筒と、
外側に突出する第４突起を備え、前記ガイドリングの外側に回転自在に配され、前記第１案内孔を通過した前記第１突起が結合される第１溝部及び前記第２案内孔を通過した前記第３突起が結合される第２溝部を内側に備えて前記第１ズームリング及び前記第１円筒を移動自在に保持する第２円筒と、
前記第４突起が挿入される第３溝部を内側に備えて前記第２円筒を回転自在に支持するように前記第２円筒の外側に配された外部円筒と、を備えることを特徴とするズームレンズ鏡筒組立体。
【請求項２】
前記第１円筒が回転するのに伴って前記第２ズームリングの光軸方向の移動を案内するガイド部を更に備えることを特徴とする請求項１に記載のズームレンズ鏡筒組立体。
【請求項３】
前記第２ズームリングは、外側に光軸方向に沿って延びる切開部を更に備え、
前記ガイド部は、前記第２ズームリングと前記第１円筒との間に配されて前記切開部に結合され、前記第２ズームリングの光軸方向の移動を案内することを特徴とする請求項２に記載のズームレンズ鏡筒組立体。
【請求項４】
前記第２ズームリングは、光軸方向に沿って延びる案内孔を更に備え、
前記ガイド部は、光軸方向に沿って延びるピン形状であり、前記案内孔に挿入されて前記第２ズームリングの光軸方向の運動を案内することを特徴とする請求項２に記載のズームレンズ鏡筒組立体。
【請求項５】
前記第２円筒は、外側に円周方向に沿って延びて配される歯車を更に備え、
前記歯車と結合して前記第２円筒を回転させる駆動力を発生させる駆動部を更に備えることを特徴とする請求項１に記載のズームレンズ鏡筒組立体。
【請求項６】
前記外部鏡筒に結合されるベースと、
前記第１レンズ群及び前記第２レンズ群に対応するように、前記ベースに配される光学素子と、を更に備えることを特徴とする請求項１に記載のズームレンズ鏡筒組立体。
【請求項７】
前記光学素子と前記第２レンズ群との間に配された第３レンズ群、該第３レンズ群を保持して光軸方向に沿って移動自在の第３ズームリング、及び該第３ズームリングに結合して駆動力を発生させる焦点駆動部、を更に備えることを特徴とする請求項６に記載のズームレンズ鏡筒組立体。
【請求項８】
前記第２溝部は、光軸方向に沿って延び、
前記第２案内孔は、
前記ガイドリングの一側エッジに沿って円周方向に延び、前記ガイドリングに対する前記第１円筒の光軸方向の位置を保持する保持部と、
前記保持部の端部から前記ガイドリングの他側エッジに向かって傾斜をなして延び、前記ガイドリングに対する前記第１円筒の光軸方向の位置を変更する変更部と、を備えることを特徴とする請求項７に記載のズームレンズ鏡筒組立体。
【請求項９】
前記第１溝部は、
前記第２円筒の一側エッジから他側エッジに向かって傾斜をなして円周方向に沿って延び、前記第１ズームリングを前記第２円筒に対して光軸方向の前方に移動させる第１傾斜部と、
前記第１傾斜部の端部から前記第２円筒の一側エッジに向かう方向に傾斜をなして円周方向に沿って延び、前記第１ズームリングを前記第２円筒に対して光軸方向の後方に移動させる第２傾斜部と、を備えることを特徴とする請求項８に記載のズームレンズ鏡筒組立体。
【請求項１０】
前記第２ズームリング案内溝は、
前記第１円筒の一側エッジから他側エッジに向かって光軸方向に沿って延びる直線部と、
前記直線部の端部から前記第１円筒の一側エッジに向かって傾斜をなして円周方向に沿って延び、前記第２ズームリングを前記第１円筒に対して光軸方向の後方に移動させる後進傾斜部と、
前記後進傾斜部から前記第１円筒の他側エッジに向かって傾斜をなして円周方向に沿って延び、前記第２ズームリングを前記第１円筒に対して光軸方向の前方に移動させる前進傾斜部と、を備えることを特徴とする請求項９に記載のズームレンズ鏡筒組立体。
【発明の詳細な説明】
【技術分野】
【０００１】
本発明は、ズームレンズ鏡筒組立体に係り、より詳細には、収納された状態で薄肉でありながら高倍率のズーム機能を具現したズームレンズ鏡筒組立体に関する。
【背景技術】
【０００２】
カメラに取り付けられるズームレンズ鏡筒組立体は、レンズ群間の間隔を調節することで多様な焦点距離を持つ光学系を具現する。ズームレンズ鏡筒組立体を用いると、カメラの光学系を広角レンズや望遠レンズに変換できるため、ユーザは動かずにその場で多様な視野角で撮影を行うことができる。
【０００３】
レンズ群間の間隔を調節するために、レンズ群を保持する鏡筒（ｂａｒｒｅｌ）の相対的な位置を変更しなければならない。例えば、５倍ズームを具現するためには、相対的に移動自在な３個の鏡筒を有する３段階ズームレンズ鏡筒組立体が使われるが、このような３段階ズームレンズ鏡筒組立体では部品数が増加するという問題がある。
【０００４】
撮影を行わない時には、ズームレンズ鏡筒組立体の構成要素はカメラ本体に収納されるが、市場のニーズに応じて薄肉のコンパクトカメラを具現するためには、収納された状態でのズームレンズ鏡筒組立体の厚さが最小化されなければならない。
【０００５】
近年、コンパクトカメラにも、例えば、高性能５倍ズーム機能が要求されており、ズームレンズ鏡筒組立体は薄肉でありながら高性能ズーム機能を実現しなければならない。しかし、５倍ズーム機能を具現する３段階ズームレンズ鏡筒組立体には、相対的に移動自在な３個の鏡筒を配さなければならないため、ズームレンズ鏡筒組立体の収納状態での厚さを最小化するのは困難であった。
【発明の概要】
【発明が解決しようとする課題】
【０００６】
本発明は、上記従来の問題点に鑑みてなされたものであって、本発明の目的は、収納された状態で薄肉でありながら高倍率のズーム機能を具現したズームレンズ鏡筒組立体を提供することにある。
【０００７】
また、本発明の目的は、部品数の低減したズームレンズ鏡筒組立体を提供することにある。
【０００８】
また、本発明の目的は、相対的に移動する鏡筒の数を低減させ薄肉でありながら高倍率のズーム機能を具現したズームレンズ鏡筒組立体を提供することにある。
【課題を解決するための手段】
【０００９】
上記目的を達成するためになされた本発明の一態様によるズームレンズ鏡筒組立体は、第１レンズ群を保持して外側に突出する第１突起を備える第１ズームリングと、前記第１突起が通過するように光軸方向に沿って延びる第１案内孔及び円周方向に沿って延びる第２案内孔を備えて前記第１ズームリングの外側に配されるガイドリングと、第２レンズ群を保持し、外側に突出する第２突起を備えて前記第１ズームリングに対して光軸方向に移動自在に配される第２ズームリングと、前記第２突起が挿入されるように内側壁面に形成された第２ズームリング案内溝及び外側に突出して前記第２案内孔を通過する第３突起を備えて回転しながら光軸方向に沿って移動自在になるように前記第１ズームリングと前記第２ズームリングとの間に配される第１円筒と、外側に突出する第４突起を備え、前記ガイドリングの外側に回転自在に配され、前記第１案内孔を通過した第１突起が結合される第１溝部及び前記第２案内孔を通過した前記第３突起が結合される第２溝部を内側に備えて前記第１ズームリング及び前記第１円筒を移動自在に保持する第２円筒と、前記第４突起が挿入される第３溝部を内側に備えて第２円筒を回転自在に支持するように前記第２円筒の外側に配された外部円筒と、を備える。
【００１０】
前記ズームレンズ鏡筒組立体は、前記第１円筒が回転するのに伴って前記第２ズームリングの光軸方向の移動を案内するガイド部を更に備える。
【００１１】
前記第２ズームリングは、外側に光軸方向に沿って延びる切開部を更に備え、前記ガイド部は、前記第２ズームリングと前記第１円筒との間に配されて前記切開部に結合され、前記第２ズームリングの光軸方向の移動を案内する。
【００１２】
前記第２ズームリングは、光軸方向に沿って延びる案内孔を更に備え、前記ガイド部は、光軸方向に沿って延びるピン形状であり、前記案内孔に挿入されて前記第２ズームリングの光軸方向の移動を案内する。
【００１３】
前記第２円筒は、外側に円周方向に沿って延びて配される歯車を更に備え、前記歯車と結合して前記第２円筒を回転させる駆動力を発生させる駆動部を更に備える。
【００１４】
前記ズームレンズ鏡筒組立体は、外部鏡筒に結合されるベースと、前記第１レンズ群及び前記第２レンズ群に対応するように、前記ベースに配される光学素子と、を更に備える。
【００１５】
前記ズームレンズ鏡筒組立体は、光学素子と前記第２レンズ群との間に配された第３レンズ群、該第３レンズ群を保持して光軸方向に沿って移動自在の第３ズームリング、及び該第３ズームリングに結合して駆動力を発生させる焦点駆動部、を更に備える。
【００１６】
前記第２溝部は、光軸方向に沿って延び、前記第２案内孔は、前記ガイドリングの一側エッジに沿って円周方向に延び、前記ガイドリングに対する前記第１円筒の光軸方向の位置を保持する保持部と、前記保持部の端部から前記ガイドリングの他側エッジに向かって傾斜をなして延び、前記ガイドリングに対する前記第１円筒の光軸方向の位置を変更する変更部と、を備える。
【００１７】
前記第１溝部は、前記第２円筒の一側エッジから他側エッジに向かって傾斜をなして円周方向に沿って延び、前記第１ズームリングを前記第２円筒に対して光軸方向の前方に移動させる第１傾斜部と、前記第１傾斜部の端部から前記第２円筒の一側エッジに向かう方向に傾斜をなして円周方向に沿って延び、前記第１ズームリングを前記第２円筒に対して光軸方向の後方に移動させる第２傾斜部と、を備える。
【００１８】
前記第２ズームリング案内溝は、前記第１円筒の一側エッジから他側エッジに向かって光軸方向に沿って延びる直線部と、前記直線部の端部から前記第１円筒の一側エッジに向かって傾斜をなして円周方向に沿って延び、前記第２ズームリングを前記第１円筒に対して光軸方向の後方に移動させる後進傾斜部と、前記後進傾斜部から前記第１円筒の他側エッジに向かって傾斜をなして円周方向に沿って延び、前記第２ズームリングを前記第１円筒に対して光軸方向の前方に移動させる前進傾斜部と、を備える。
【発明の効果】
【００１９】
本発明によるズームレンズ鏡筒組立体は、第１ズームリング及び第２円筒が２段階に展開する２段構造のズームレンズ鏡筒組立体を用いて５倍の光学ズームを具現することができ、部品数を低減させることができる。また相対的に移動する構成要素の数を低減させることができるため、収納された状態で薄肉のズームレンズ鏡筒組立体を具現することができる。
【図面の簡単な説明】
【００２０】
【図１】本発明の一実施形態によるズームレンズ鏡筒組立体の斜視図である。
【図２】図１のズームレンズ鏡筒組立体の一部を切開して示す斜視図である。
【図３】図１のズームレンズ鏡筒組立体の構成要素を分離して示す斜視図である。
【図４】図１のズームレンズ鏡筒組立体が収納状態にある状態を示す断面図である。
【図５】図４のズームレンズ鏡筒組立体が広角レンズに調整されてズーム機能を行う状態を示す断面図である。
【図６】図４のズームレンズ鏡筒組立体が望遠レンズに調整されてズーム機能を行う状態を示す断面図である。
【発明を実施するための形態】
【００２１】
以下、本発明のズームレンズ鏡筒組立体を実施するため形態の具体例を、図面を参照しながら詳細に説明する。
【００２２】
図１は、本発明の一実施形態によるズームレンズ鏡筒組立体の斜視図である。
図１を参照すると、ズームレンズ鏡筒組立体は、２段階に展開して５倍の光学ズーム機能を行う。
【００２３】
ズームレンズ鏡筒組立体は、ベース９０に設けられた外部円筒８０と、外部円筒８０に移動自在に配された第１ズームリング２０と、第２円筒７０とを備える。第２円筒７０は、外部円筒８０から光軸方向（Ｚ軸方向）に沿って前進または後進するように配される。また第１ズームリング２０は、第２円筒７０から光軸方向に沿って前進または後進するように配される。
【００２４】
ズームレンズ鏡筒組立体は、ベース９０に固定された外部円筒８０から光軸方向に沿って移動する第１ズームリング２０及び第２円筒７０が２段階に展開することでズーム機能を行う。これにより、ズームレンズ鏡筒組立体の第１ズームリング２０及び第２円筒７０が外部円筒８０に収納された状態で全体厚さを縮小することができて、小型及び薄型のカメラの設計を容易に行うことができる。
【００２５】
ベース９０及び外部円筒８０の外側面には、ズーム機能を行うための駆動力を発生させる駆動部５と、焦点調整機能の実行のための駆動力を発生させる焦点駆動部７と、が配される。
【００２６】
図２は、図１のズームレンズ鏡筒組立体の一部を切開して示す斜視図であり、図３は、図１のズームレンズ鏡筒組立体の構成要素を分離して示す斜視図である。
【００２７】
図２及び図３を参照すると、ズームレンズ鏡筒組立体は、第１レンズ群１０を保持する第１ズームリング２０と、第１ズームリング２０の外側に配されたガイドリング３０と、第２レンズ群４０を保持する第２ズームリング５０と、第１ズームリング２０及び第２ズームリング５０の間に配される第１円筒６０と、ガイドリング３０の外側に配されて第１ズームリング２０及び第１円筒６０を移動自在に保持する第２円筒７０と、第２円筒７０の外側に配された外部円筒８０と、を備える。
【００２８】
外部円筒８０は、ズームレンズ鏡筒組立体で固定状態を維持する保持構造物として機能する。
【００２９】
ズームレンズ鏡筒組立体が作動してズーム機能を行う時には、第１ズームリング２０が第２円筒７０に対して光軸方向（Ｚ軸方向）の最前方に突出する。第１ズームリング２０は、円筒状になって第１レンズ群１０を保持し、外側に突出する第１突起２１を備える。第１レンズ群１０は、レンズ保持部１１を介して第１ズームリング２０の前面に結合される。第１ズームリング２０が光軸方向に沿って前進または後進移動することで、第１レンズ群１０の光軸方向の位置が調整される。
【００３０】
ガイドリング３０は、中空の円筒状であり、第１ズームリング２０の外側に配される。ガイドリング３０は、内側壁面に第１ズームリング２０の第１突起２１が通過するように光軸方向に沿って直線的に延びる第１案内孔３１と、光軸方向に沿って傾斜をなして円周方向に沿って延びる第２案内孔３２と、を備える。第１案内孔３１は、第１突起２１の動きを案内することで第１ズームリング２０が光軸方向に沿って直線運動を行うように案内する。
【００３１】
ガイドリング３０の外側に突出する直線ガイド突起３５が、外部円筒８０の内側壁面に光軸方向に沿って直線的に延設された直線溝部８５に結合される。したがって、ガイドリング３０は、第２円筒７０の内側に配されるものの、第２円筒７０が外部円筒８０に対して回転する間に、ガイドリング３０は、外部円筒８０に対して回転せずに第２円筒７０と共に光軸方向に沿って直線的に移動する。
【００３２】
ガイドリング３０の内側には、第１円筒６０が配される。第１円筒６０は、中空の円筒状であり、外側に突出する第３突起６１を備えて回転しながら光軸方向に沿って移動自在に配される。第１円筒６０の第３突起６１は、ガイドリング３０の第２案内孔３２に挿入されるため、ガイドリング３０が第１円筒６０を移動自在に保持する。
【００３３】
第１円筒６０の外径は、第１ズームリング２０の内径より小さい。したがって、第１ズームリング２０及び第１円筒６０がガイドリング３０によって案内されて光軸方向に沿って移動する時、第１円筒６０は第１ズームリング２０内に挿入される。
【００３４】
第１円筒６０の内側には、第２ズームリング５０が移動自在に配される。第２ズームリング５０は、第２レンズ群４０を保持する。第２レンズ群４０は、レンズ保持部４１を介して第２ズームリング５０に結合される。
【００３５】
第２ズームリング５０は、外側に突出する第２突起５１を備える。第２ズームリング５０の第２突起５１は、第１円筒６０の内側壁面に形成された第２ズームリング案内溝６２に挿入されるため、第１円筒６０の回転に伴い第２突起５１が第２ズームリング案内溝６２によって案内され、第２ズームリング５０が光軸方向に沿って直線運動を行う。
【００３６】
第２ズームリング５０が回転せずに光軸方向に沿って直線運動を行うようにするために、第２ズームリング５０の外側壁面には、光軸方向に沿って延びる切開部５２が形成される。第２ズームリング５０と第１円筒６０との間には、切開部５２に結合されて第２ズームリング５０の光軸方向の運動を案内するガイド部５５が配される。ガイド部５５は、第１円筒６０の内側壁面に円周方向に沿って延びるように形成されたガイド部案内溝６４に結合されるため、ガイド部案内溝６４がガイド部５５に結合された状態で、第１円筒６０が回転する。ガイド部５５は、切開部５２に結合されるため、ガイド部５５の第２ズームリング５０の円周方向における位置が固定される。
【００３７】
上述したように第１円筒６０が回転するのに伴い、第２ズームリング５０が第１円筒６０の内側で光軸方向に沿って移動するため、第２レンズ群４０の第１レンズ群１０に対する光軸方向での相対的な位置が変化してズーム機能が実現される。
【００３８】
本実施形態で、第１円筒６０が回転する間に第２ズームリング５０が回転せずに光軸方向に沿って直線的に移動するように案内するために切開部５２及びガイド部５５が使われたが、本発明は、このような構成によって限定されるものではない。例えば、第１円筒６０が回転する間に第２ズームリング５０の光軸方向での直線運動を案内するために、光軸方向に沿って延びるように配されたピンと、ピンが挿入されるように第２ズームリング５０に光軸方向に延設される案内孔などの変形された構成を採択してもよい。
【００３９】
ガイドリング３０の外側には、第２円筒７０が回転自在に配される。第２円筒７０は中空の円筒状であり、外側に突出する第４突起７１を備える。第２円筒７０の内側壁面には、ガイドリング３０の第１案内孔３１を通過した第１突起２１が結合される第１溝部７２と、第２案内孔３２を通過した第３突起６１が結合される第２溝部７３とが形成される。これにより、第２円筒７０は、第１ズームリング２０及び第１円筒６０を移動自在に保持し、第１ズームリング２０及び第１円筒６０の動きを案内する。
【００４０】
第１溝部７２は、第２円筒７０の一側エッジ７８から他側エッジ７９に向かって傾斜をなして円周方向に沿って延びる第１傾斜部７２ａと、第１傾斜部７２ａの端部から一側エッジ７８に向かう方向に傾斜をなして円周方向に沿って延びる第２傾斜部７２ｂと、を備える。
【００４１】
第１傾斜部７２ａは、第１ズームリング２０を第２円筒７０に対して光軸方向の前方に移動させる機能を行う。第２傾斜部７２ｂは、第１ズームリング２０を第２円筒７０に対して光軸方向の後方に移動させる機能を行う。
【００４２】
外部円筒８０の内側壁面には第３溝部８２が形成される。第２円筒７０が外部円筒８０の内側に配され、第２円筒７０の第４突起７１が第３溝部８２に結合されるため、外部円筒８０が第２円筒７０を回転自在に保持する。第４突起７１が外部円筒８０の第３溝部８２によって案内されるため、第２円筒７０の回転に伴い第２円筒７０が光軸方向に移動する。
【００４３】
第２円筒７０の外側壁面には、円周方向に延びる歯車７５が設けられる。歯車７５には、図１に示した駆動部５が連結されるため、駆動部５が発生させた駆動力が歯車７５に伝達され、第２円筒７０が外部円筒８０に対して回転する。
【００４４】
外部円筒８０の端部にはベース９０が結合され、ベース９０には、第１レンズ群１０及び第２レンズ群４０を通過した画像光を電気的な信号に変換する光学素子９１が配される。光学素子９１は、第１レンズ群１０及び第２レンズ群４０に対応する位置に配される。
【００４５】
光学素子９１と第２レンズ群４０との間には、第３レンズ群１００が配される。第３レンズ群１００は、焦点調整機能の実現のために光軸方向（Ｚ軸方向）に沿って移動する。
【００４６】
第３レンズ群１００は、第３ズームリング１１０によって支持される。第３ズームリング１１０には、焦点駆動部７が結合される。焦点駆動部７が発生させた駆動力によって第３ズームリング１１０が光軸方向に沿って移動するため、第３レンズ群１００の光軸方向での位置が調整される。
【００４７】
第２案内孔３２は、ガイドリング３０の一側エッジ３８に沿って円周方向に延びる保持部３２ａと、保持部３２ａの端部からガイドリング３０の他側エッジ３９に向かって傾斜をなして円周方向に沿って延びる変更部３２ｂと、を備える。
【００４８】
保持部３２ａは、第２円筒７０が回転し始めた初期の所定区間の間にガイドリング３０に対する第１円筒６０の光軸方向の位置を保持する機能を行う。また変更部３２ｂは、ガイドリング３０に対する第１円筒６０の光軸方向の位置を変更する機能を行う。
【００４９】
第１円筒６０の内側壁面に形成された第２ズームリング案内溝６２は、第１円筒６０の一側エッジ６８から他側エッジ６９に向かって光軸方向に沿って直線的に延びる直線部６２ａと、直線部６２ａの端部から第１円筒６０の他側エッジ６９に向かって傾斜をなして円周方向に沿って延びる後進傾斜部６２ｂと、後進傾斜部６２ｂから一側エッジ６８に向かって傾斜をなして円周方向に沿って延びる前進傾斜部６２ｃと、を備える。
【００５０】
直線部６２ａは、第２ズームリング５０が第１円筒６０に対して光軸方向に沿って前方に移動させる機能を行い、後進傾斜部６２ｂは、第２ズームリング５０を第１円筒６０に対して光軸方向に沿って後方に移動させる機能を行い、前進傾斜部６２ｃは、第２ズームリング５０が第１円筒６０に対して光軸方向に沿って前方に移動させる機能を行う。
【００５１】
図４は、図１のズームレンズ鏡筒組立体が収納状態にある状態を示す断面図であり、図５は、図４のズームレンズ鏡筒組立体が広角レンズに調整されてズーム機能を行う状態を示す断面図であり、図６は、図４のズームレンズ鏡筒組立体が望遠レンズに調整されてズーム機能を行う状態を示す断面図である。
【００５２】
ズームレンズ鏡筒組立体が収納された状態では、外部円筒８０の内側に、第２円筒７０と、第１円筒６０と、第１ズームリング２０とがいずれも収納される。ズームレンズ鏡筒組立体は、高配率の光学ズームを具現しつつも外部円筒８０に対して第２円筒７０及び第１ズームリング２０が光軸方向に沿って突出する２段階の鏡筒構造を採択するため、収納された状態で非常に薄い厚さを具現することができる。
【００５３】
駆動部５が作動して駆動力を発生させると、外部円筒８０に対して第２円筒７０が回転する。第２円筒７０の回転力は、第２円筒７０の第１溝部７２に結合された第１ズームリング２０の第１突起２１と、第２溝部７３に結合された第１円筒６０の第３突起６１とに伝達される。
【００５４】
外部円筒８０に対して第２円筒７０が回転する時、ガイドリング３０は外部円筒８０に対して回転せずに第２円筒７０と共に光軸方向に直線的に移動する。したがって、ガイドリング３０の第１案内孔３１を通過する第１突起２１によって、第１ズームリング２０が光軸方向に沿って直線的に運動する。また、ガイドリング３０の第２案内孔３２を通過する第３突起６１によって、第１円筒６０がガイドリング３０に対して回転しながら光軸方向に沿って移動する。
【００５５】
第２円筒７０の回転によって第１レンズ群１０及び第２レンズ群４０の相対的な位置が変わるため、図５に示したように、ズームレンズ鏡筒組立体が広角端に調整されるか、または、図６に示したように望遠端に調整される。
【００５６】
上述した装置は、プロセッサ、プロセッサによって実行されるプログラムデータを保存して実行するためのメモリ、ディスクドライブなどの永久保存部（ｐｅｒｍａｎｅｎｔ  ｓｔｏｒａｇｅ）、外部装置と通信する通信ポート、タッチパネル、キー、ボタンなどのユーザインターフェース装置などを含む。ソフトウェアモジュールまたはアルゴリズムで具現される方法は、プロセッサによって実行可能なコンピュータ読み取り可能なコードまたはプログラム命令でありコンピュータ読み取り可能な一時的でない（ｎｏｎ−ｔｒａｎｓｉｔｏｒｙ）記録媒体上に保存される。ここで、コンピュータ読み取り可能な記録媒体としては、ＲＯＭ、ＲＡＭ、マグネチック記録媒体（例えば、フロッピー（登録商標）ディスク、ハードディスクなど）及び光学的判読媒体（例えば、ＣＤ−ＲＯＭ、ＤＶＤ（Ｄｉｇｉｔａｌ  Ｖｅｒｓａｔｉｌｅ  Ｄｉｓｃ））などがある。コンピュータ読み取り可能な記録媒体は、ネットワークに連結されたコンピュータシステムに分散され、分散方式でコンピュータ読み取り可能なコードが保存されて実行される。記録媒体は、コンピュータ読み取り可能であり、メモリに保存され、プロセッサで実行される。
【００５７】
本発明で引用する公開文献、特許出願、特許などを含むあらゆる文献は、各引用文献を個別的かつ具体的に併合して示すこと、または本発明で全体的に併合して示すことと同様に本発明に併合される。
【００５８】
本発明の理解のために、図面に示した望ましい実施形態で参照符号を付け、実施形態を説明するために特定用語を使ったが、特定用語によって発明が限定されるものではなく、本発明は当業者であれば通常的に想到できるあらゆる構成要素を含む。
【００５９】
本発明は、機能的なブロック構成及び多様な処理段階で示される。これらの機能ブロックは、特定機能を行う多様な数のハードウェアまたは／及びソフトウェア構成で具現される。例えば、本発明は一つ以上のマイクロプロセッサの制御または他の制御装置によって多様な機能を行うことができるメモリ、プロセッシング、ロジック、ルックアップテーブルなどの直接回路構成を採用することができる。本発明の構成要素がソフトウェアプログラミングまたはソフトウェアで行われるのと同様、本発明はデータ構造、プロセス、ルーティンまたは他のプログラミング構成の組み合わせで具現される多様なアルゴリズムを含み、Ｃ、Ｃ＋＋、Ｊａｖａ（登録商標）、アセンブラーなどのプログラミングまたはスクリプティング言語で具現される。機能的な側面は、一つ以上のプロセッサで行われるアルゴリズムで具現される。また本発明は、電子的な環境設定、信号処理、及び／またはデータ処理などのために従来技術を採用する。“メカニズム”、“要素”、“手段”、“構成”などの用語は広く使われ、機械的かつ物理的な構成に限定されるものではない。これらの用語はプロセッサなどと連携してソフトウェアの一連の処理（ｒｏｕｔｉｎｅｓ）の意味を含む。
【００６０】
本発明で説明する特定実行は一実施形態であり、本発明の範囲を限定するものではない。明細書を簡単にするために、従来の電子的な構成、制御システム、ソフトウェア、これらのシステムの他の機能的な側面の記載は省略する。また、図面に示した構成要素間の線の連結または連結部材は、機能的な連結及び／または物理的または回路的連結を例示的に示すものであり、実際装置では入れ替えることができ、或いはさらなる多様な機能的な連結、物理的な連結、または回路連結として示される。また、“必須の”、“重要に”などの具体的な言及がない場合は、本発明の適用のために必ずしも必要な構成要素ではないこともある。ここで使用する“含む”、“備える”などの表現は、技術の開放型終結部の用語として理解するために使用するものである。
【００６１】
本発明の明細書又は特許請求の範囲で“前記”の用語及びこれと類似した指示用語の使用は、単数及び複数の両方に該当する。また本発明で範囲（ｒａｎｇｅ）を記載した場合、この範囲に属する個別的な値を適用した発明を含むものであり（これに反する記載がなければ）、発明の詳細な説明にこの範囲を構成する各個別的な値を記載したことと同様である。最後に、本発明による方法を構成する段階について明らかに順序を記載するか、またはそれに反する記載がない場合、これらの段階は適当な順序で行われてもよい。必ずしも、これらの段階の記載順序によって本発明が限定されるものではない。本発明ですべての例または例示的な用語（例えば、など）の使用は、単純に本発明を詳細に説明するためのものであり、特許請求の範囲によって限定されない限り、これらの例または例示的な用語によって本発明の範囲が限定されるものではない。また当業者ならば、発明の範囲及び思想から逸脱せずに多様な修正及び変更が容易に行われうるということを明らかに理解できるであろう。
【符号の説明】
【００６２】
５    駆動部
７    焦点駆動部
１０    第１レンズ群
１１    レンズ保持部
２０    第１ズームリング
２１    第１突起
３０    ガイドリング
３１    第１案内孔
３２    第２案内孔
３２ａ    保持部
３２ｂ    変更部
３５    直線ガイド突起
３８、６８、７８    一側エッジ
３９、６９、７９    他側エッジ
４０    第２レンズ群
４１    レンズ保持部
５０    第２ズームリング
５１    第２突起
５２    切開部
５５    ガイド部
６０    第１円筒
６１    第３突起
６２    第２ズームリング案内溝
６２ａ    直線部
６２ｂ    後進傾斜部
６２ｃ    前進傾斜部
６４    ガイド部案内溝
７０    第２円筒
７１    第４突起
７２    第１溝部
７２ａ    第１傾斜部
７２ｂ    第２傾斜部
７３    第２溝部
７５    歯車
８０    外部円筒
８２    第３溝部
８５    直線溝部
９０    ベース
９１    光学素子
１００    第３レンズ群
１１０    第３ズームリング
【図１】
2014505276.tif 000003
【図２】
2014505276.tif 000004
【図３】
2014505276.tif 000005
【図４】
2014505276.tif 000006
【図５】
2014505276.tif 000007
【図６】
2014505276.tif 000008
【国際調査報告】
2014505276.tif 000009
2014505276.tif 000010